(57)【要約】本発明は以下を含む装置に関連する。ブリスターパックに取り付けられたケース、ケースに取り付けられたブリスターパックからの薬の取り出しを感知できる少なくとも一つのセンサー、コントローラー。コントローラーは以下のように設定されている。薬の服用のためにタイミングパラメーターを決定、少なくとも一つのセンサーからシグナルを受信、ブリスターパックから薬が取り出されたかシグナルに基づいて決定する、タイミングパラメーターに基づいたタイムピリオド内にブリスターパックから薬が取り出されない場合薬の服用を知らせるシグナルを出力ユニットに発行。
2019506940.tif 000002
【特許請求の範囲】
【請求項１】
以下を含む装置：
ブリスターパックに取り付けられるケース；
ケースに取り付け、取り付けられたブリスターパックからの薬の取り出しを感知するために配置されている少なくとも一つのセンサー；
以下のように設定されているコントローラー、
薬の服用のためにタイミングパラメーターを決定する
少なくとも一つのセンサーからシグナルを受信する
ブリスターパックから薬が取り出されたかシグナルに基づいて決定する
タイミングパラメーターに基づいたタイムピリオド内にブリスターパックから薬が取り出されていない場合、薬の服用を知らせるシグナルを出力ユニットに発行する。
【請求項２】
請求項１の装置であって、さらにお知らせシグナルの受信とユーザーへのお知らせを行うための出力ユニットを含む、装置。
【請求項３】
請求項２の装置であって、音声デバイス、振動デバイス、発光デバイスの少なくとも一つを出力ユニットが含む。装置。
【請求項４】
請求項１〜３のいずれか一に記載の装置であって、一日に服用する薬の数、少なくとも一つの薬を服用する時間、各回に服用される薬の数、のうち少なくとも一つに基づいてタイミングパラメーターは決定される、装置。
【請求項５】
請求項１〜４のいずれか一に記載の装置であって、コントローラーがさらに薬関連データを受信するように設定され、タイミングパラメーターの決定がさらに薬関連データに基づいている、装置。
【請求項６】
請求項１〜５のいずれか一に記載の装置であって、コントローラーがさらにユーザー関連データを受信するように設定され、タイミングパラメーターの決定がさらにユーザー関連データに基づいている、装置。
【請求項７】
請求項１〜６のいずれか一に記載の装置であって、リモートデバイスと通信するために通信ユニットを含む、装置。
【請求項８】
請求項７の装置であって、出力ユニットがリモートデバイスのディスプレイである、装置。
【請求項９】
請求項７の装置であって、コントローラーがリモートデバイスにお知らせシグナルを送信するように設定されている、装置。
【請求項１０】
請求項９の装置であって、コントローラーがリモートデバイスからタイミングパラメーターを受信するように設定されている、装置。
【請求項１１】
請求項１〜１０のいずれか一に記載の装置であって、少なくとも一つのセンサーが少なくとも一つのカメラを有し、少なくとも一つのカメラによってキャプチャーされた取り付けられたブリスターパックの画像の少なくとも一つをシグナルは含む、装置。
【請求項１２】
請求項１１の装置であって、取り付けられたブリスターパックの一つのサイド上の薬の画像をキャプチャーするように配置された最初のカメラとブリスターパックの2番目のサイド上の切り取り可能なホイルの画像をキャプチャーするように配置された2番目のカメラを含、装置。
【請求項１３】
請求項１１の装置であって、コントローラーがさらに以下のように設定されている、
センサーからの認証シグナルを受信する
認証シグナルに基づいてブリスターパックを認証する、装置。
【請求項１４】
請求項１〜１３のいずれか一に記載の装置であって、ブリスターの切り取り可能なホイルに接続された一つまたはそれ以上の導線内の切断を感知するデバイスを少なくとも一つのセンサーが含み、シグナルは少なくとも一つの電子回路の切断を感知する、装置。
【請求項１５】
請求項１〜１４のいずれか一に記載の装置であって、コントローラーがさらに以下のように設定されている、
開始シグナルを受信する
開始シグナルに基づいたタイミングパラメーターを決定する、装置。
【請求項１６】
請求項１６の装置であって、開始シグナルの受信が薬ブリスターへの装置の取り付けによる、装置。
【請求項１７】
請求項１５の装置であって、開始シグナルがカメラから受信したブリスターの画像である、装置。
【請求項１８】
以下を含む方法、
薬の服用のためのタイミングパラメーターの決定
少なくとも一つのセンサーからのシグナルの受信、少なくとも一つのセンサーは、
ブリスターパックからの薬の取り出しを感知するように配置されている；
ブリスターパックから薬が取り出されたかシグナルに基づいて決定する；
タイミングパラメーターに基づいてタイムピリオド内にブリスターパックから薬が取り出されない場合、薬の服用を知らせるシグナルを出力ユニットに発行する、方法。
【請求項１９】
請求項１８の方法であって、一日に服用する薬の数、少なくとも一つの薬を服用する時間、各回に服用される薬の数、のうち少なくとも一つに基づいてタイミングパラメーターは決定される、方法。
【請求項２０】
請求項１８又は請求項１９の方法であって、さらに以下を含む、
薬関連データの受信、
タイミングパラメーターの決定は薬関連データに基づく、方法。
【請求項２１】
請求項２０の方法であって、リモートデバイス、データベース、ブリスターパックに関連した読み込み可能なエレメントのうち少なくとも一つから薬関連データは受信される、方法。
【請求項２２】
請求項１８〜２０のいずれか一に記載の方法であって、以下を含む、
ユーザー関連データの受信、
タイミングパラメーターの決定はユーザー関連データに基く、方法。
【請求項２３】
請求項２２の方法であって、リモートデバイス、データベースのうち少なくとも一つからユーザー関連データは受信される、方法。
【請求項２４】
請求項１８〜２３のいずれか一に記載の方法であって、音声シグナル、光シグナル、振動、リモートデバイスのディスプレイでの通知、からお知らせシグナルは選択される、方法。
【請求項２５】
請求項１８〜２４のいずれか一に記載の方法であって、さらに以下を含む、
ユーザーによるブリスターパックからの薬の取り出しを感知し、取り出しに関連したそれぞれの履歴を含む、二つまたはそれ以上の履歴シグナルのデータベースからの受信、
タイミングパラメーターの決定は受信された二つまたはそれ以上の履歴シグナルに基づく、方法。
【請求項２６】
請求項１８〜２５のいずれか一に記載の方法であって、さらに以下を含む、
薬の誤使用の識別
誤使用警報の発行、方法。
【請求項２７】
請求項２６の方法であって、ユーザーへの通知送信、ユーザーの介護者への通知送信、ユーザーの親族への通知送信、医療機関への通知送信、のうち少なくとも一つを誤使用警報の発行を含む、方法。
【請求項２８】
請求項１８〜２５のいずれか一に記載の方法であって、さらに以下を含む、
センサーからの認証シグナルの受信
認証シグナルに基づいたブリスターパックの認証、方法。
【請求項２９】
請求項１８〜２５のいずれか一に記載の方法であって、さらに以下を含む、
カメラからのブリスターパックの切り取り可能なホイルの画像の受信
受信した画像に基づいたブリスターパック内の薬のタイプの識別、方法。
【請求項３０】
以下を含むシステム
以下のように設定された処理ユニット
薬の服用のためのタイミングパラメーターを決定する
少なくとも一つのリモートセンサーからネットワークを介してシグナルを受信する、
少なくとも一つのリモートセンサーはブリスターパックからの薬の取り出しを感知するように配置されている
ブリスターパックから薬が取り出されたかシグナルに基づいて決定する
タイミングパラメーターに基づいたタイムピリオド内にブリスターパックから薬が取り出されない場合薬の服用を知らせるシグナルを出力ユニットに発行する、システム。
【請求項３１】
請求項３０のシステムであって、一日に服用する薬の数、少なくとも一つの薬を服用する時間、各回に服用される薬の数、のうち少なくとも一つに基づいてタイミングパラメーターは決定される、システム。
【請求項３２】
請求項３０または請求項３１のシステムであって、処理ユニットは以下のようにさらに設定されている、
薬関連データを受信する
薬関連データに基づいてタイミングパラメーターを決定する、システム。
【請求項３３】
請求項３２のシステムであって、リモートデバイス、データベース、ブリスターパックに関連した読み込み可能なエレメントのうち少なくとも一つから薬関連データは受信される、システム。
【請求項３４】
請求項３０〜３３のいずれか一に記載のシステムであって、処理ユニットはさらに以下のように設定されている、
ユーザー関連データを受信する
ユーザー関連データに基づいた2番目の薬の服用のために間隔時間を決定する、システム。
【請求項３５】
請求項３４のシステムであって、リモートデバイス、データベースのうち少なくとも一つからユーザー関連データは受信される、システム。
【請求項３６】
請求項３０〜３５のいずれか一に記載のシステムであって、音声シグナル、光シグナル、振動、リモートデバイスのディスプレイでの通知からお知らせシグナルは選択される、システム。
【請求項３７】
請求項３０〜３６のいずれか一に記載のシステムであって、処理ユニットはさらに以下のように設定されている、
ブリスターパックからの薬の取り出しを感知し、取り出しに関連したそれぞれの履歴を含む、二つまたはそれ以上の履歴シグナルをデータベースから受信する
受信された二つまたはそれ以上の履歴シグナルに基づいたタイミングパラメーターを決定する、システム。
【請求項３８】
請求項３０〜３７のいずれか一に記載のシステムであって、処理ユニットはさらに以下のように設定されている、
薬の誤使用を識別する
誤使用警報を発行する、システム。
【請求項３９】
請求項３８のシステムであって、ユーザーへの通知送信、ユーザーの介護者への通知送信、ユーザーの親族への通知送信、医療機関への通知送信、のうち少なくとも一つによって誤使用警報を発行するように処理ユニットはさらに設定されている、システム。
【請求項４０】
請求項３０〜３９のいずれか一に記載のシステムであって、処理ユニットはさらに以下のように設定されている、
センサーからの認証シグナルを受信する
認証シグナルに基づいたブリスターパックを認証する、システム。
【請求項４１】
請求項３０〜４０のいずれか一に記載のシステムであって、処理ユニットはさらに以下のように設定されている、
カメラからのブリスターパックの切り取り可能なホイルの画像を受信し、受信した画像に基づいたブリスターパック内の薬のタイプを識別する、システム。
【請求項４２】
以下を含むブリスターパック；
切り取り可能なホイルを含む複数の薬の囲い
切り取り可能なホイルを通ってブリスターパックから薬が取り出される際少なくとも一つの導線を通る導電路が切断されるために、薬の位置にある切り取り可能なホイルに取り付けられた複数の導線。
【発明の詳細な説明】
【背景技術】
【０００１】
投薬遵守に関するよくある問題の一つは、時間通りに薬を服用しないことである。しばしば、人は適切な時間がきても薬の服用を単純に忘れてしまう。時々いつ最後に薬を服用したのかも人は忘れてしまう。歳をとると問題はより深刻になる。高齢者の中には日中異なる時間にいくつかの薬を服用する必要があるが、年齢と共に記憶力は減少し、どの薬をいつ服用するのかを記憶しておくことは難しくなる。
【０００２】
市場にあるシステムは一般的にタイマーに基づいており、つまり単独または主に設定したタイマーに基づいて薬の服用をユーザーに思い出させる。しかし、このようなシステムはブリスターパックからの薬の取り出しを監視したり記録したりすることはない。したがって薬の服用をモニタリングし、知らせる電子システムの必要性がある。
【発明の概要】
【０００３】
本発明の実施形態は、ブリスターパックに取り付けられるケース、ケースに取り付けられたブリスターパックからの薬の取り出しを感知できる少なくとも一つのセンサー、コントローラーを含む、薬の服用をユーザーに知らせる装置に関連する。薬の服用のためのタイミングパラメーターを決定する、少なくとも一つのセンサーからシグナルを受信する、薬がブリスターパックから取り出されたかシグナルに基づいて決定をする、タイミングパラメーターに基づいたタイムピリオド内にブリスターパックから薬が取り出されない場合薬の服用を知らせるシグナルをユニットに発行するように、コントローラーは設定されうる。
【０００４】
本発明の実施形態は、プロセッサーによって実行される、ユーザーに薬の服用を知らせるコンピュータ実装方法に関連する。薬を服用するタイミングパラメーターの決定、少なくとも一つのセンサーからのシグナルの受信、少なくとも一つのセンサーはブリスターパックからの薬の取り出しを感知できること、ブリスターパックから薬が取り出されたかシグナルに基づいた決定、タイミングパラメーターに基づいたタイムピリオド内にブリスターパックから薬が取り出されない場合薬の服用を知らせるシグナルをユニットに発行することが方法には含まれうる。
【０００５】
本発明のこの他の特徴は詳細な説明および図から明らかとなる。
【図面の簡単な説明】
【０００６】
本発明とみなされる主題は特に指摘され仕様の結論部分ではっきりと主張されている。しかし、目的、機能、およびその利点と共に組織と使用方法両方への発明は、以下に添付した図解と共に次の詳細な説明を参照することで理解されうる。
【０００７】
【図１】図1は、発明のいくつかの実施形態でのお知らせをするための装置のハイレベルブロック図である。
【図２−１】図 2A から2D は、発明のいくつかの実施形態による少なくとも一つのカメラを含むお知らせをするための装置の図解である。
【図２−２】同上
【図３】図 3A から3B は、発明のいくつかの実施形態によるお知らせをするための装置の図解である。
【図４】図 4 は、発明のいくつかの実施形態による薬の服用をお知らせするためのシステムのハイレベルブロック図である。
【図５】図5A および 5B は、発明のいくつかの実施形態での装置によって取り出されるブリスターパックの画像である。
【図６】図 6 は、発明のいくつかの実施形態での薬の服用をお知らせする方法のフローチャートである。
【０００８】
そのシンプルさとイラストの明快さのため、図に示されているエレメントは必ずしも寸法通りに描かれていない。例えば、いくつかのエレメントの寸法は、わかりやすくするための他のエレメントを基準として拡大されうる。さらに、適切と考えられるところには対応するまたは類似のエレメントを示すために図の中で参照符号が繰り返されうる。
【発明を実施するための形態】
【０００９】
以下の詳細な説明では、発明の完全な理解を提供するため多数の具体的な詳細が述べられている。しかし、本発明はこのような具体的な詳細がなくても用いられることは当業者は理解可能である。言いかえれば、よく知られた方法、手順、モジュール、ユニットおよび/または回路は、発明を分かりにくくしないよう、詳しくは説明されていない。一つの実施形態に尊重され説明されるいくつかの機能やエレメントは、他の実施形態に尊重され説明される機能やエレメントと統合されうる。つまり、同じまたは類似の機能やエレメントについては繰り返して述べられてはいない。
【００１０】
本発明の実施形態はこれに限定はされないが、例えば、「処理」、「コンピューティング」、「推測」、「計算」、「決定」、「確立」、「分析」、「確認」、「操作」、「フィルタリング」などのような用語を使用した解説は、コンピュータ、コンピューティングプラットフォーム、コンピューティングシステムや他の電子コンピューティングデバイス（それらは、コンピュータのレジスタおよび/またはメモリ、操作および/または処理を行う指示を保存するその他の情報非一時的記憶媒体内で物理的量として類似に存在する他のデータに、コンピュータのレジスタおよび/またはメモリ内の物理的 (例として電子的) 量として存在するデータを操作および/または変換します） の操作および/または処理を参照されうる。発明の実施形態はこれに限定はされないが、ここで使用される「複数」という用語は、例えば「多数」または「二つ以上」を含みうる。「複数」という用語は、二つ以上の内容物、デバイス、エレメント、ユニット、パラメーターなどを示すために仕様全体を通じて使われうる。ここで使用される際の用語セットは一つまたはそれ以上のアイテムを含みうる。特記されなければ、ここに説明される方法の実施形態は特定の順序またはシーケンスに制約されない。さらに、示される方法の実施形態またはエレメントのいくつかは同時に、同じ時点で、共に発生または実行され得る。
【００１１】
いくつかの本発明の実施形態によって、いくつかの本発明の実施形態は、ブリスターパックから薬を取り出すことをユーザーに知らせる装置および方法に関連する。装置は簡単にブリスターパックから取り外しできるように設計され、例えば、薬を提供する薬剤師、介護者または患者自身によってブリスターパックに取り付けられうる。薬を服用する時間になるとユーザーにお知らせシグナルを提供するスピーカー、一つまたはそれ以上のライト、振動エレメントのような出力デバイスを装置は含みうる。さらに、ユーザーが一度(または、許容範囲時間内に) 薬を服用したか、または、再度知らされるべきかを検知する一つまたはそれ以上のセンサーを含みうる。いくつかの実施形態では、スマートフォン、スマートウォッチ、他のリモートデバイス(例として、病院や医療機関のセントラルモニタリングデバイス) のようなユーザーデバイスにお知らせシグナルが表示されうる。いくつかの実施形態では、ユーザーに与えられた処方薬によってブリスターパック内の薬ごとにお知らせシグナルを発生するように装置は設定されうる。
【００１２】
本発明のいくつかの実施形態でお知らせをする装置のハイレベルブロック図である図1が示されている。装置10は少なくとも最初のセンサー20、ブリスターパックからの薬の取り出しを感知できる2番目のセンサー25、出力デバイス30、コントローラー50を含みうる。装置10は例えば通信ユニット56を経由してリモートデバイス60と通信するように設定されうる。リモートデバイス60はスマートフォン、タブレットのようなモバイルデバイスかもしれないし、ラップトップやPCのような個人的なデバイスかもしれない。リモートデバイス60は薬を服用するユーザー、介護者、ユーザーの医療行為を監督する医療従事者（例として、医者）によって操作されうる。
【００１３】
最初のセンサー20 と2番目のセンサー 25 はブリスターパックからの薬の取り出しを検知または感知するように設定されているいかなるセンサーでありうる。例えば、センサー20および/または25は図2A から2D に図解されたカメラおよび/または図2D に示されたセンサー27でありうる。他の例では、センサー20および/または25は図3A から3B に図解された一つまたはそれ以上の電子回路を含みうる。さらに他の例では、センサー20および/または25は、静電容量センサー、インダクタンスセンサーまたは他の適したセンサーを含みうる。
【００１４】
いくつかの実施形態では、デバイス10はブリスターパック5へのデバイス10の取り付けを感知するアタッチメントセンサー (示されていない) をさらに含みうる。アタッチメントセンサーは、スイッチ、電子回路、いくつかの適当なエレメントを含みうる。ブリスターパック5へのデバイス10の取り付けによって、アタッチメントセンサーはコントローラー50または他の外部プロセッサーに開始シグナルを送信されうる。
【００１５】
出力デバイス30は光源 (例としてLED ランプ) 、音声スピーカー、振動デバイス、ディスプレイなどを一つまたはそれ以上含みうる。出力デバイス30の各エレメントはユーザーに知らせるように設定されうる。いくつかの実施形態では、出力デバイス30は例えば「薬を服用してください」と言ったユーザーへのお知らせシグナルを表示するように設定されたリモートデバイス60のディスプレイでありうる。
【００１６】
いくつかの実施形態では、コントローラー50はプロセッサー52 (例としてチップ) 、メモリ54、通信ユニット56を含みうる。メモリ54はランダムアクセスメモリ (RAM)、読み込みのみのメモリ (ROM)、ダイナミックRAM  (DRAM)、シンクロダイナミックRAM(SD-RAM)、ダブルデータレート (DDR) メモリチップ、フラッシュメモリ、揮発性メモリ、キャッシュメモリ、バッファ、短期間メモリユニット、長期間メモリユニット、その他の適当なメモリユニット、保存ユニットを含みうる。例えばブリスターパックから最初の薬の取り出しを感知するセンサー20および/または25からのシグナルの受信コードのような、プロセッサー52によって実行される一つまたはそれ以上の実行コードをメモリ52は保存されうる。コードはさらにタイミングパラメーターの決定も含みうる。コードは一つまたはそれ以上の入力デバイス40からの追加データの受信を含みうる。コードは、出力ユニット30への2番目の薬の服用を知らせるシグナルの発行を含みうる。図1はハイレベルな図解であり、メモリや処理のようないくつかの機能モジュールは単一の物理的デバイスに存在するかもしれないことが理解されうる。
【００１７】
いくつかの実施形態では、リモートデバイス60 (例として、スマートフォン、タブレット、スマートウォッチ、ラップトップ、PCなど) または例えばブルートゥース登録商標やWi-Fiなど良く知られたプロトコールを使用する外部のコンピューティングデバイスと通信するように通信ユニット56は設定されうる。いくつかの実施形態では、通信が確立される際リモートデバイス60によって認識されるようにデバイス10の識別情報をメモリ54は保存しうる。
【００１８】
いくつかの実施形態では、パワーサプライ (示されていない) 、例えば、図2D に示されているバッテリー70を装置10はさらに有しうる。発明のいくつかの実施形態によってお知らせシグナルを発行するデバイスの図が図2A から2Dに示されている。図2A から2Dに示されているデバイス10にはブリスターパック5に取り付けられるケース15、ケース10に取り付けられ付属のブリスターパック5から薬6の取り出しを感知できる少なくとも一つのカメラ 20A と25Aが含まれうる。ケース15は少なくともいくつかの装置10の内容物、例えば、図1に示されたセンサー20、25、出力ユニット30、コントローラー50を保持するように設計されうる。
【００１９】
図2A と2B は、最初のセンサー、カメラ20A を持つデバイス10の側面図および上面図を示したものである。カメラで撮った図5A の画像に示されているブリスターパック5とすべての薬6の全体の画像をカメラ20A がキャプチャーできると示している点線でカメラ20A の視野(FOV)は決定されている。例として図5B に示されたような適当な画像処理アルゴリズムを使用して画像はさらに処理されうる。プロセッサー52、リモートデバイス60、プロセッサーおよび/または図4に示したプロセッサー112のようなリモートプロセッサーによって処理は行われうる。
【００２０】
イメージャによってキャプチャーされた後、画像がリモートデバイスに保存または転送される前に圧縮されることは理解されうる。さらに、装置、リモートデバイス、発明の範囲内でのこのようなすべての実施形態で画像処理ステップは実施されることも理解されうる。
【００２１】
図2C と2D は組み立てられたデバイス10の側面図といくつかの実施形態でのデバイス10内に含まれる主な内容物の等角投影図である。図2C と2D に示されたデバイス10には、最初のセンサー、カメラ20A、2番目のセンサー、カメラ25A が含まれている。いくつかの実施形態では、3番目のセンサー、例えば、図2D に示されている追加センサー27 (例として、光学センサー) がデバイス10にはさらに含まれうる。カメラ20A が薬6の側面をキャプチャーし、カメラ25A が切り取り可能なホイル7の側面をキャプチャーしている際にブリスターパック5の両側をカバーしているカメラ20A と25A の FOV を図2C は示す。いくつかの実施形態では、ブリスターパック5からの薬の取り出しを感知するようにカメラ20A は設定され、プロセッサー52やリモートデバイス60のプロセッサーまたは画像を受信する他のネットワークに入っているプロセッサーのようなプロセッサーがブリスターパック5の中の薬6のタイプを識別できるように、印刷や薬のタイプの他の情報、例えば、薬の記述名または商標名(例として、Advil&reg; (アドビル)) を有する切り取り可能なホイル7の画像をカメラ25A がキャプチャーするように設定されうる。いくつかの実施形態では、異なるライティングコンディションでブリスターパック5の画像をキャプチャーするために光源が装置10にはさらに含まれうる。光源は例えば可視光線、IR光源、UV 光源などでありうる。
【００２２】
図2D は、デバイス10のいくつかの内容物の詳細な図解である。図2D に示されたデバイス10は、最初のカメラ20A、2番目のカメラ25A が含まれうる。さらに追加のセンサー、例えば光学センサー、またはカメラ、IR カメラ、RFID リーダー、例として近距離通信 (NFC)、UV センサーなどをデバイスは有しうる。デバイスはケース15を含みうる。ケース15は複数のパーツ (例として、示されたような2つのパーツ)から組み立てられうる。装置10はさらにプロセッサー52、通信ユニット65、出力ユニット30 (例として、スピーカー)、バッテリー70を含みうる。
【００２３】
図3A はデバイス10と取り付けられたブリスターパックの等角投影図、図3B はいくつかの実施形態でデバイス10に取り付けられているブリスターパックの下方図を示す。
【００２４】
ケース15と導線21を含む電子回路を少なくとも一つ含む最初のセンサー20Bを少なくとも一つ、図3A のデバイス10は有しうる。切り取り可能なホイル7から薬6を取り出すためにブリスターパック5の中で少なくとも一つの導線21が切断されるとブリスターから薬の取り外しを感知するように、最初のセンサー20Bは設定されうる。いくつかの実施形態では、ブリスターパック5内の各薬6は図3B に示されているように独立した回路に接続されうる。あるいは、ブリスターパック5から薬6の取り外しによって少なくともいくつかの導線内での切断を感知できる導線のマトリックスに最初のセンサー20B は接続されうる。いくつかの実施形態では、図3B に示したような導線の少なくとも一つに接続した2番目のセンサー25 B をデバイス10は含みうる。ブリスターパック5の上部での薬6の取り出しを最初のセンサー20A が感知し、ブリスターパック5の下部からの薬6の取り出しを2番目のセンサー25Bが感知されうる。
【００２５】
いくつかの実施形態による、ユーザーへのお知らせを発行するシステムのハイレベルブロック図を図4は示す。例えばクラウドベースサーバーまたは物理的な処理ユニットであるサーバー105をシステム100は含みうる。サーバー105は処理デバイス110、保存ユニット120、ユーザーインターフェース130、通信ユニット125を含みうる。処理ユニット110は、例えばセントラルプロセッシングユニット (CPU)、チップ、適当なコンピューティング、計算上のデバイスとなり得るプロセッサー112、操作システム114、メモリ116を含みうる。例えばメモリ116のようなメモリに保存されている実行指示による本発明の実施形態での方法を実行するようにプロセッサー112は設定されうる。操作システム114は、調整、計画、監督、コントロール、または処理デバイス110の操作管理、例えば、プログラムの実行計画に関わるタスクを実行するように設計および/または設定されたコードセグメントを含みうる。メモリ116は、例えば、ランダムアクセスメモリ (RAM)、読み込みのみのメモリ(ROM)、ダイナミックRAM (DRAM)、シンクロダイナミックRAM (SD-RAM)、ダブルデータレート (DDR) メモリチップ、フラッシュメモリ、揮発性メモリ、非揮発性メモリ、キャッシュメモリ、バッファ、短期間メモリユニット、長期間メモリユニット、その他の適当なメモリユニット、保存ユニットを含みうる。メモリ116は複数の可能な異なるメモリユニットを含みうる。
【００２６】
実行コード、例としてアプリケーション、プログラム、処理、タスク、スクリプトをメモリ116は保存されうる。通信ユニット125を介したセンサー20、20A、 20B、 25、 25A、 25B、27 (例として、リモートセンサー)の少なくとも一つから受信される画像や他のデータ、薬の取り出しを感知しタイミングパラメーターを決定するシグナルのような情報処理の指示を実行コードは含みうる。コードはさらにお知らせシグナルを発行する指示を含みうる。
【００２７】
ストレージ120は、例えば、ハードディスクドライブ、フロッピーディスクドライブ、コンパクトディスク (CD) ドライブ、CD-レコーダブル(CD-R) ドライブ、ユニバーサルシリアルバス (USB) デバイス、他の適当なリムーバブルおよび/または固定保存ユニットを含みうる。薬取り出しの感知や時間に関連した履歴データのようなコンテンツがストレージ120内に保存され、プロセッサー112によって処理されるメモリ116内にストレージ120から移されうる。
【００２８】
ユーザーインターフェース130は、ユーザー (例として、登録者) からの入力を受信し、ユーザーに出力を表示するように設定されたデバイスを含みうる。例えば、スクリーン、キーボード、ポインティングデバイス、音声デバイス、処理ユニット110に接続するのに適した入力/出力 (I/O)デバイスをインターフェース130は含みうる。
【００２９】
処理ユニット110がリモートデバイス60および/またはデバイス10のような外部デバイスと、例えばインターネットで通信できるようなワイヤまたはワイヤレスネットワークインターフェースカード (NIC) を通信ユニット125は有しうる。
【００３０】
いくつかの実施形態では、システム100はリモートデバイス60の中に含まれ、プロセッサー112はリモートデバイス60を含むプロセッサーでありうる。
【００３１】
本発明の実施形態による、ユーザーへのお知らせの発行の方法のフローチャートであるが図6に示されている。装置10のプロセッサー52、リモートデバイス60のプロセッサー、システム100の処理ユニット112の少なくとも一つによって、図6の方法は行われうる (例として、実行されうる) 。いくつかの実施形態では、図6の方法のすべての操作は、単一のプロセッサーによって行われうる。いくつかの実施形態では、図6の方法のいくつかの操作は最初のプロセッサー (例として、プロセッサー52またはリモートデバイスのプロセッサー) によって行われ、他の操作は2番目のプロセッサー (例として、処理ユニット112) によって行われうる。
【００３２】
操作610では、実施形態は少なくとも一つの薬の取り出しのためにタイミングパラメーターの決定を含みうる。一つまたはそれ以上の薬6の服用開始時間、一つ目の薬と二つ目の服用の間隔時間 (例として、6時間)、服用の遅れの許容範囲 (例として、15分) などがタイミングパラメーターには含まれうる。いくつかの実施形態では、追加の情報(例として、処方箋) が (例としてユーザー、介護者、医者、家族などから提供される) リモートデバイス60から受信されうる。
【００３３】
いくつかの実施形態では、例えば、薬の種類、一日に服用する薬の数、少なくとも一つの薬を服用する時間、各回に服用される薬の数など薬に関連したデータ (例として、処方箋) の受信、薬に関連したデータに基づいたタイミングパラメーターの決定が方法にはさらに含まれうる。いくつかの実施形態では、例えば年齢、性別、既往歴、ユーザーが服用している他の薬などユーザーに関連したデータの受信、ユーザー関連データに基づいたタイミングパラメーターの決定が、方法にはさらに含まれうる。いくつかの実施形態では、薬関連データおよび/またはユーザー関連データの受信は、リモートデバイス60、データベース (例としてストレージ120)、ブリスターパックに伴う読み込み可能なエレメント(例として、チップ/ RFIDなど) のうち少なくとも一つからである。例えば、ユーザー関連データにはユーザーがすでに最初のタイプの一つの薬を毎朝服用しているという情報が含まれ、薬に関連したデータには2番目のタイプの一つの薬を毎日服用する処方が含まれうる。さらに、ユーザーが2番目のタイプの薬を毎晩服用することをプロセッサーが決定しうる。
【００３４】
いくつかの実施形態では、データベース (例として、ストレージ120) から特定の時間に特定のユーザーによってブリスターから薬が取り出されることを検知する二つまたはそれ以上の履歴シグナルの受信、および受信した二つまたはそれ以上の履歴シグナルに基づいたタイミングパラメーターの決定が、方法にはさらに含まれうる。例えば、ユーザーが20時 (例として、夕食後) の薬の服用を好むと履歴シグナルが感知すると、タイミングパラメーターは19時54分から20時の間に薬を服用するための記述を含みうる。いくつかの実施形態では、特定のユーザーによってブリスターから薬が取り出されることを感知する履歴シグナルの継続的な分析やお知らせ発行のための「タイムフレーム」のくり返し学習、例えばユーザーへの迷惑を避けることをプロセッサーは行いうる。
【００３５】
いくつかの実施形態では、開始シグナルの受信や開始シグナルに基づいたタイミングパラメーターの決定が方法にはさらに含まれうる。いくつかの実施形態では、開始シグナルの受信はブリスターパックへの装置の取り付けによります。例えば開始シグナルは装置(例として、スイッチ、電子回路など) 内に含まれるアタッチメントセンサーから受信されうる。他の例では、開始シグナルはカメラ(例として、カメラ25A) から受信されたブリスターの画像でありうる。操作615では、少なくとも一つのセンサーからのシグナルの受信を実施形態は含み、少なくとも一つのセンサーはブリスターパックからの薬の取り出しを感知できる。例として、シグナルは、少なくとも一つのカメラ(例として、カメラ20A や25A)から受信したブリスターパックの画像、例として図5の画像でありうる。例えば図5B に示されたようにブリスターパックから薬が取り出されたかどうかを感知するための画像処理が方法にはさらに含まれうる。例えば以前に撮られた同じブリスターパックからの画像と比較することによって撮られた画像を分析し、ブリスターパックから薬が取り出されたかどうかを識別するために画像処理アルゴリズムをプロセッサーは用いうる。
【００３６】
他の例では、ブリスターパック5の切り取り可能なホイル (例として、ホイル7) に取り付けられた、電子回路内の一つまたはそれ以上の導線 (例として、線21) 内の切断を感知するためのデバイスを含みうる、センサー (例として、センサー20B と25B) 内に含まれる少なくとも一つの電子回路の切断の感知をシグナルは含みうる。
【００３７】
いくつかの実施形態では、シグナルは他のセンサー、例えばタッチセンサー、動きを感知するセンサー (例として加速度計) などから受信されうる。
【００３８】
操作620では、ブリスターパックから薬が取り出される場合シグナルに基づいた決定を実施形態は含みうる。いくつかの実施形態では、服薬時間になったことをタイミングパラメーターが感知するとプロセッサーはセンサーからシグナルを受信されうる。例えば、服薬時間(例として、20時) になると少なくとも一つの追加導線21が切断されたか、あるいは画像 (例として、図5Aの画像) が追加の薬が取り出されたことを示しているかプロセッサーは決定する。このような場合には、このような追加の薬が服用され、この時点ではこれ以上のことは行われないとプロセッサーは決定する。
【００３９】
操作625では、タイミングパラメーターに基づいたタイムピリオド内に薬がブリスターパックから取り出されない場合薬を服用するためにお知らせシグナルの出力ユニットへの発行が実施形態には含まれうる。例えば、20時15分 (例として、タイミングパラメーターが15分の遅れとなっている時) までに薬が服用されたと感知するシグナルが受信されなければ、薬の服用のためにお知らせシグナルを出力ユニットにプロセッサーは発行されうる。いくつかの実施形態では、音声シグナル、光シグナル、振動、ディスプレイ、例えばユーザーデバイス上に通知の表示、からお知らせシグナルは選択されうる。いくつかの実施形態では、出力ユニットは装置10の出力デバイス30、リモートデバイス60内に含まれる出力ユニットなどでありうる。
【００４０】
操作630では、実施形態に薬の誤使用の識別が含まれうる。例えば、実質的に同時にブリスターパックから一つではなく二つの薬が取り出されたり、連続した二つの薬の服用の間隔がタイミングパラメーターを用いて決定された時間よりも短かったりすることをシグナルは感知されうる。このような場合には、ブリスターパックの推測される誤使用はプロセッサーによって検知され、操作635での実施形態には誤使用警報の発行がさらに含まれうる。警報は発行され、リモートデバイスに送られる。いくつかの実施形態では、ユーザーへの通知送信、デバイスまたはリモートデバイスを介したユーザーの介護者への通知送信、ユーザーの親族への通知送信および/または医療機関への通知送信が誤使用警報の発行には含まれうる。
【００４１】
操作640では、センサーからの認証シグナルの受信が実施形態に含まれうる。センサーは、デバイス10に含まれるセンサー20、20A、25、 25Aでありうるし、センサー27のような追加センサーでありうる。例えば、センサー27はカメラ、UVセンサーまたは他のタイプの光学センサーで、認証シグナルはバーコードやシリアル番号などのような認証情報を含む画像のような光学/UV マーキングを含みうる。他の例では、センサー27は RFID リーダーであり、ブリスターパックに付属した RFID タグから受け取るRF シグナルの認証をシグナルは含みうる。操作645では、認証シグナルに基づいたブリスターパックの認証が実施形態に含まれうる。例えば、バーコード、シリアル番号、RFID からなるシグナルは、データベース、例えばストレージユニット120に保存された認証データと比較されうる。
【００４２】
操作650では、カメラからのブリスターパックの切り取り可能なホイルの画像の受信を実施形態は含みうる。例えば切り取り可能なホイル7の画像、例えばAdvil&reg;（アドビル）のような薬の名称またはロゴのような情報を含む画像をカメラ25A のようなカメラはキャプチャーされうる。操作655では、受信した画像に基づいたブリスターパック内の薬のタイプの認証が実施形態に含まれうる。例えば、カメラ25A で撮られた画像は、ブリスターパック内の薬のタイプの認証のために登録された薬剤の画像またはロゴと比較されうる。
【００４３】
いくつかの実施形態では順序やステップが異なることは可能である。例えば、発明の実施形態による方法では、まず画像を受信し (650)、薬を識別し (655)、そして認証 (645) やお知らせのような他のステップを実行する。
【００４４】
本発明のある特徴はここに図解され、解説されているが、多くの修飾、置換、変更、同値が当業者には発生可能である。それゆえ、発明の真の意義内におけるこのような修飾や変更のすべてをカバーするよう添付の請求項が設けられている。
【符号の説明】
【００４５】
５：ブリスターパック
６：薬
７：ホイル
１０：装置
１５：ケース
２０：最初のセンサー
２０A/２５A：カメラ
２０A：最初のセンサー
２０B：最初のセンサー
２１：追加導線
２５：2番目のセンサー
２５B：2番目のセンサー
２７：センサー
２７：追加センサー
３０：出力デバイス
３０：出力ユニット
５０：コントローラー
５６：通信ユニット
６０：リモートデバイス
６５：通信ユニット
７０：バッテリー
１１２：プロセッサー
７０：バッテリー
１０５：サーバー
１１０：処理デバイス
１１０：処理ユニット
１１２：プロセッサー
１１２：処理ユニット
１１４：操作システム
１１６：メモリ
１２０：保存ユニット
１２０：ストレージ
１２５：通信ユニット
１３０：ユーザーインターフェース
６１０：操作
６１５：操作
６２０：操作
６２５：操作
６３０：操作
６３５：操作
６４０：操作
６４５：操作
６５０：操作
６５５：操作
【図１】
2019506940.tif 000003
【図２−１】
2019506940.tif 000004
【図２−２】
2019506940.tif 000005
【図３】
2019506940.tif 000006
【図４】
2019506940.tif 000007
【図５】
2019506940.tif 000008
【図６】
2019506940.tif 000009
【国際調査報告】
2019506940.tif 000010
2019506940.tif 000011